(57)【要約】【課題】グリッドを使用しつつ、２次元観察用画像とステレオ表示用の２枚の画像の合計３枚の画像を取得する放射線画像撮影装置において、高画質のステレオ画像を表示できるようにする。【解決手段】入力部７においてユーザーの効き目の入力を受け付け、撮影角度が０°の撮影において取得された放射線画像データをステレオ画像表示の際の効き目側の画像とし、撮影角度が＋４°の撮影において取得された放射線画像データもしくは撮影角度が−４°の撮影において取得された放射線画像データのうち、効き目と反対側に対応する放射線画像データを立体視画像表示の際の効き目と反対側の画像として、モニタ９に乳房のステレオ画像を表示させる。【選択図】図３
2012066049.tif 000002
【特許請求の範囲】
【請求項１】
右目用画像および左目用画像の２枚の画像を用いて立体視画像を表示する放射線画像撮影装置であって、
照射された放射線を検出して放射線画像信号として出力する放射線検出器と、
該放射線検出器の検出面に直交する方向と撮影方向とのなす角度が最も小さい第１の撮影方向、前記直交する方向を挟んだ両側の各々において前記直交する方向とのなす角度が前記第１の撮影方向よりも大きい第２の撮影方向および第３の撮影方向の、互いに異なる３つの撮影方向から被写体に対して放射線を照射する放射線源と、
前記被写体と前記放射線検出器との間に配置され、照射された放射線の散乱線を吸収するものであり、前記３つの撮影方向のうち前記第１の撮影方向が最も適正な配置となるように構成されたグリットと、
立体視画像を表示する際に、前記第１の撮影方向において取得された放射線画像信号および前記第２の撮影方向において取得された放射線画像信号の組合せ、もしくは前記第１の撮影方向において取得された放射線画像信号および前記第３の撮影方向において取得された放射線画像信号の組合せのいずれかを選択可能な選択手段とを備えたものであることを特徴とする放射線画像撮影装置。
【請求項２】
前記選択手段が、ユーザーの効き目の入力を受け付けるものであり、
前記第１の撮影方向において取得された放射線画像信号を立体視画像表示の際の前記効き目側の画像として表示し、前記第２の撮影方向において取得された放射線画像信号もしくは前記第３の撮影方向において取得された放射線画像信号のうち、前記効き目と反対側に対応する放射線画像信号を立体視画像表示の際の前記効き目と反対側の画像として表示する表示制御手段を備えたものであることを特徴とする請求項１記載の放射線画像撮影装置。
【請求項３】
前記第１の撮影方向と前記直交する方向とのなす角度が、０°であることを特徴とする請求項１または２記載の放射線画像撮影装置。
【請求項４】
前記第２の撮影方向と前記直交する方向とのなす角度および前記第３の撮影方向と前記直交する方向とのなす角度の絶対値が、４°以上１５°以下であることを特徴とする請求項１から３のいずれか１項記載の放射線画像撮影装置。
【請求項５】
前記第２の撮影方向と前記直交する方向とのなす角度および前記第３の撮影方向と前記直交する方向とのなす角度の絶対値が、４°であることを特徴とする請求項１から４のいずれか１項記載の放射線画像撮影装置。
【請求項６】
照射された放射線を検出して放射線画像信号として出力する放射線検出器と、該放射線検出器の検出面に直交する方向と撮影方向とのなす角度が最も小さい第１の撮影方向、前記直交する方向を挟んだ両側の各々において前記直交する方向とのなす角度が前記第１の撮影方向よりも大きい第２の撮影方向および第３の撮影方向の、互いに異なる３つの撮影方向から被写体に対して放射線を照射する放射線源と、前記被写体と前記放射線検出器との間に配置され、照射された放射線の散乱線を吸収するものであり、前記３つの撮影方向のうち前記第１の撮影方向が最も適正な配置となるように構成されたグリットとを備えた放射線画像撮影装置において、右目用画像および左目用画像の２枚の画像を用いて立体視画像を表示する立体視画像表示方法であって、
ユーザーの効き目の入力を受け付け、
前記第１の撮影方向において取得された放射線画像信号を立体視画像表示の際の前記効き目側の画像として表示し、前記第２の撮影方向において取得された放射線画像信号もしくは前記第３の撮影方向において取得された放射線画像信号のうち、前記効き目と反対側に対応する放射線画像信号を立体視画像表示の際の前記効き目と反対側の画像として表示することを特徴とする立体視画像表示方法。
【発明の詳細な説明】
【技術分野】
【０００１】
本発明は、立体視画像を表示するための右目用画像および左目用画像の２枚の画像の画像データを表示するための放射線画像撮影装置および立体視画像表示方法に関するものである。
【背景技術】
【０００２】
従来、複数の画像を組み合わせて表示することにより、視差を利用して立体視できることが知られている。このような立体視できる画像（以下、立体視画像またはステレオ画像という）は、同一の被写体を異なる位置から撮影して取得された互いに視差のある複数の画像に基づいて生成される。
【０００３】
そして、このような立体視画像の生成は、デジタルカメラやテレビなどの分野だけでなく、放射線画像撮影の分野においても利用されている。すなわち、被験者に対して互いに異なる方向から放射線を照射し、その被験者を透過した放射線を放射線画像検出器によりそれぞれ検出して互いに視差のある複数の放射線画像を取得し、これらの放射線画像に基づいて立体視画像を生成することが行われている。そして、このように立体視画像を生成することによって奥行感のある放射線画像を観察することができ、より診断に適した放射線画像を観察することができる。
【０００４】
上記のようなステレオ画像を取得する放射線画像撮影装置においては、特許文献１に記載のように、２次元観察用の画像を取得するために放射線画像検出器の正面（撮影方向と検出器の検出面に直交する方向とのなす角度が０°）からの撮影、およびステレオ画像を取得するために輻輳角（撮影方向と検出器の検出面に直交する方向とのなす角度が例えば±２°）を設けた２枚の撮影の合計３枚の画像の撮影を行なうことが一般的である。
【先行技術文献】
【特許文献】
【０００５】
【特許文献１】特開２００３−２４５２７４号公報
【発明の概要】
【発明が解決しようとする課題】
【０００６】
ところで、放射線画像撮影を行なう際には、高品質な放射線画像を生成するため、被写体内で発生した放射線の散乱光を吸収するグリッドを設けることが知られている。上記３枚の画像の撮影のうち、２次元観察用の画像が最も高画質であることを要求されるため、放射線画像検出器の正面からの撮影に最適化されたグリッドを用いると、放射線画像検出器の正面以外の撮影角度から撮影を行なった場合に、グリッドによるけられが増加して放射線の放射線検出器への到達線量が減少する。
【０００７】
これにより、撮影角度が大きい方向からの撮影による放射線画像のＳ／Ｎは、撮影角度が小さい方向からの撮影による放射線画像のＳ／Ｎと比較して低下するため、上記のようにステレオ画像を取得するために左右に撮影角度を傾けて撮影を行なうと、観察者は、Ｓ／Ｎが低下した２つの放射線画像で構成されたステレオ画像を立体視することになり、疲労感が増大するおそれがある。
【０００８】
本発明は、上記の事情に鑑み、立体視画像を表示するための右目用画像および左目用画像の２枚の画像の画像データを表示するための放射線画像撮影装置および立体視画像表示方法において、上記問題を緩和したものを提供することを目的とする。
【課題を解決するための手段】
【０００９】
本出願人は、立体視表示の際に、左右の画像の画質が一致していなくても、立体視表示が可能であることを見出した。本発明はこの知見に基づいたものであり、本発明の放射線画像撮影装置は、右目用画像および左目用画像の２枚の画像を用いて立体視画像を表示する放射線画像撮影装置であって、照射された放射線を検出して放射線画像信号として出力する放射線検出器と、放射線検出器の検出面に直交する方向と撮影方向とのなす角度が最も小さい第１の撮影方向、前記直交する方向を挟んだ両側の各々において前記直交する方向とのなす角度が第１の撮影方向よりも大きい第２の撮影方向および第３の撮影方向の、互いに異なる３つの撮影方向から被写体に対して放射線を照射する放射線源と、被写体と放射線検出器との間に配置され、照射された放射線の散乱線を吸収するものであり、３つの撮影方向のうち第１の撮影方向が最も適正な配置となるように構成されたグリットと、立体視画像を表示する際に、第１の撮影方向において取得された放射線画像信号および第２の撮影方向において取得された放射線画像信号の組合せ、もしくは第１の撮影方向において取得された放射線画像信号および第３の撮影方向において取得された放射線画像信号の組合せのいずれかを選択可能な選択手段とを備えたものであることを特徴とするものである。
【００１０】
本発明の放射線画像撮影装置においては、選択手段を、ユーザーの効き目の入力を受け付けるものとし、第１の撮影方向において取得された放射線画像信号を立体視画像表示の際の効き目側の画像として表示し、第２の撮影方向において取得された放射線画像信号もしくは第３の撮影方向において取得された放射線画像信号のうち、効き目と反対側に対応する放射線画像信号を立体視画像表示の際の効き目と反対側の画像として表示する表示制御手段を備えたものとすることが好ましい。
【００１１】
また、第１の撮影方向と前記直交する方向とのなす角度は、０°であることが好ましい。また、第２の撮影方向と前記直交する方向とのなす角度および第３の撮影方向と前記直交する方向とのなす角度の絶対値は、４°以上１５°以下であることが好ましく、中でも４°とすることが最も好ましい。
【００１２】
本発明の立体視画像表示方法は、照射された放射線を検出して放射線画像信号として出力する放射線検出器と、放射線検出器の検出面に直交する方向と撮影方向とのなす角度が最も小さい第１の撮影方向、前記直交する方向を挟んだ両側の各々において前記直交する方向とのなす角度が第１の撮影方向よりも大きい第２の撮影方向および第３の撮影方向の、互いに異なる３つの撮影方向から被写体に対して放射線を照射する放射線源と、被写体と放射線検出器との間に配置され、照射された放射線の散乱線を吸収するものであり、３つの撮影方向のうち第１の撮影方向が最も適正な配置となるように構成されたグリットとを備えた放射線画像撮影装置において、右目用画像および左目用画像の２枚の画像を用いて立体視画像を表示する立体視画像表示方法であって、ユーザーの効き目の入力を受け付け、第１の撮影方向において取得された放射線画像信号を立体視画像表示の際の効き目側の画像として表示し、第２の撮影方向において取得された放射線画像信号もしくは第３の撮影方向において取得された放射線画像信号のうち、効き目と反対側に対応する放射線画像信号を立体視画像表示の際の効き目と反対側の画像として表示することを特徴とするものである。
【発明の効果】
【００１３】
本発明の放射線画像撮影装置によれば、右目用画像および左目用画像の２枚の画像を用いて立体視画像を表示する放射線画像撮影装置において、照射された放射線を検出して放射線画像信号として出力する放射線検出器と、放射線検出器の検出面に直交する方向と撮影方向とのなす角度が最も小さい第１の撮影方向、前記直交する方向を挟んだ両側の各々において前記直交する方向とのなす角度が第１の撮影方向よりも大きい第２の撮影方向および第３の撮影方向の、互いに異なる３つの撮影方向から被写体に対して放射線を照射する放射線源と、被写体と放射線検出器との間に配置され、照射された放射線の散乱線を吸収するものであり、３つの撮影方向のうち第１の撮影方向が最も適正な配置となるように構成されたグリットと、立体視画像を表示する際に、第１の撮影方向において取得された放射線画像信号および第２の撮影方向において取得された放射線画像信号の組合せ、もしくは第１の撮影方向において取得された放射線画像信号および第３の撮影方向において取得された放射線画像信号の組合せのいずれかを選択可能な選択手段とを備えたものとして、立体視画像表示の際に少なくとも一方の放射線画像信号はＳ／Ｎが高い第１の撮影方向において取得された放射線画像信号を用いるようにしたので、両方ともにＳ／Ｎが低い放射線画像信号を用いて立体視画像を表示する場合と比較して高画質の立体視画像を表示することができる。
【００１４】
この場合、ユーザーの効き目の入力を受け付けて、第１の撮影方向において取得された放射線画像信号を立体視画像表示の際の効き目側の画像として表示し、第２の撮影方向において取得された放射線画像信号もしくは第３の撮影方向において取得された放射線画像信号のうち、効き目と反対側に対応する放射線画像信号を立体視画像表示の際の効き目と反対側の画像として表示するようにすれば、ユーザーにとってより見やすい画像を表示することができる。
【図面の簡単な説明】
【００１５】
【図１】本発明の放射線画像撮影表示システムの一実施の形態を用いたステレオ乳房画像撮影表示システムの概略構成図
【図２】図１に示すステレオ乳房画像撮影表示システムのアーム部を図１の右方向から見た図
【図３】図１に示すステレオ乳房画像撮影表示システムのコンピュータ内部の概略構成を示すブロック図
【発明を実施するための形態】
【００１６】
以下、図面を参照して本発明の放射線画像撮影装置の一実施の形態を用いたステレオ乳房画像撮影表示システムについて説明する。まず、本実施の形態の乳房画像撮影表示システム全体の概略構成について説明する。図１は乳房画像撮影表示システムの概略構成を示す図、図２は図１に示すステレオ乳房画像撮影表示システムのアーム部を図１の右方向から見た図、図３は図１に示すステレオ乳房画像撮影表示システムのコンピュータ内部の概略構成を示すブロック図である。
【００１７】
本実施形態の乳房画像撮影表示システム１は、図１に示すように、乳房画像撮影装置１０と、乳房画像撮影装置１０に接続されたコンピュータ８と、コンピュータ８に接続されたモニタ９および入力部７とを備えている。
【００１８】
そして、乳房画像撮影装置１０は、図１に示すように、基台１１と、基台１１に対し上下方向（Ｚ方向）に移動可能であり、かつ回転可能な回転軸１２と、回転軸１２により基台１１と連結されたアーム部１３を備えている。なお、図２には、図１の右方向から見たアーム部１３を示している。
【００１９】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２０】
撮影台１４の内部には、フラットパネルディテクタ等の放射線検出器１５と、放射線検出器１５の検出面１５ａ上に配置されたグリッド２１と、放射線検出器１５からの電荷信号の読み出しを制御する検出器コントローラ３３が備えられている。
【００２１】
グリッド２１は放射線の散乱光を吸収するものであり、放射線透過部材と放射線不透過部材を交互に配列し、かつ検出面１５ａに直交する方向から放射線が照射された場合に最適化するように放射線不透過部材を傾斜させて配置している。これにより、検出面１５ａに直交する方向と撮影方向とのなす角度（以下、撮影角度θ'という）が大きい程、グリッド２１によるけられが増加して到達線量が減少する。
【００２２】
また、撮影台１４の内部には、放射線検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００２３】
また、撮影台１４はアーム部１３に対し回転可能に構成されており、基台１１に対してアーム部１３が回転したときでも、撮影台１４の向きは基台１１に対し固定された向きとすることができる。
【００２４】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。放射線画像検出器１５から出力された放射線画像信号はＡＤ変換されて放射線画像データとされる。
【００２５】
放射線照射部１６の中には放射線源１７と、放射線源コントローラ３２が収納されている。放射線源コントローラ３２は、放射線源１７から放射線を照射するタイミングと、放射線源１７における放射線発生条件（管電流、時間、管電流時間積等）を制御するものである。
【００２６】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９が設けられている。圧迫板１８の位置、圧迫圧は、圧迫板コントローラ３４により制御される。
【００２７】
コンピュータ８は、中央処理装置（ＣＰＵ）および半導体メモリやハードディスクやＳＳＤ等のストレージデバイスなどを備えており、これらのハードウェアによって、図３に示すような制御部８ａ、放射線画像記憶部８ｂおよび画像処理部８ｃが構成されている。
【００２８】
制御部８ａは、各種のコントローラ３１〜３４に対して所定の制御信号を出力し、システム全体の制御を行うものである。具体的な制御方法については後で詳述する。放射線画像記憶部８ｂは、放射線画像検出器１５によって取得された撮影角度毎の放射線画像データを記憶するものである。画像処理部８ｃは、放射線画像データに対して種々の画像処理を施すためのものである。
【００２９】
入力部７は、たとえば、キーボードやマウスなどのポインティングデバイスから構成されるものであり、ユーザーの効き目の入力を受け付け可能に構成されたものである。また、入力部７は、撮影者による撮影条件などの入力や操作指示の入力なども受け付けるものである。
【００３０】
モニタ９は、コンピュータ８から出力された２つの放射線画像データを用いて、撮影方向毎の放射線画像をそれぞれ２次元画像として表示することにより、ステレオ画像を表示するように構成されたものである。
【００３１】
ステレオ画像を表示する構成としては、たとえば、２つの画面を用いて２つの放射線画像データに基づく放射線画像をそれぞれ表示させて、これらをハーフミラーや偏光グラスなどを用いることで一方の放射線画像は観察者の右目に入射させ、他方の放射線画像は観察者の左目に入射させることによってステレオ画像を表示する構成を採用することができる。
【００３２】
または、たとえば、２つの放射線画像を所定の視差量だけずらして重ね合わせて表示し、これを偏光グラスで観察することでステレオ画像を生成する構成としてもよいし、もしくはパララックスバリア方式およびレンチキュラー方式のように、２つの放射線画像を立体視可能な３Ｄ液晶に表示することによってステレオ画像を生成する構成としてもよい。
【００３３】
また、ステレオ画像を表示する装置と２次元画像を表示する装置とは別個に構成するようにしてもよいし、同じ画面上で表示できる場合には同じ装置として構成するようにしてもよい。
【００３４】
次に、本実施形態の乳房画像撮影表示システムの作用について説明する。
【００３５】
まず、撮影の際の動作について説明する。
【００３６】
最初に撮影台１４の上に乳房Ｍが設置され、圧迫板１８により乳房Ｍが所定の圧力によって圧迫される。
【００３７】
次に、入力部７おいて、ステレオ画像用の輻輳角θを含む種々の撮影条件が入力された後、撮影開始の指示が入力される。
【００３８】
そして、入力部７において撮影開始の指示があると、乳房Ｍのステレオ画像の撮影が行われる。具体的には、まず、制御部８ａが、入力された輻輳角θに基づいて、実際の撮影角度θ'＝＋θおよび撮影角度θ'＝−θとする情報をアームコントローラ３１に出力する。なお、本実施の形態においては、このときの輻輳角θの情報としてθ＝４°、実際の撮影を行なう撮影角度θ’の組み合わせとしてθ’＝±４°の組み合わせが設定されているものとするが、これに限られるものではなく、撮影者は入力部７において任意の輻輳角θを設定可能である。なお、輻輳角θは小さすぎても大きすぎても適切な立体視を行なわせることが難しくなるため、４°以上１５°以下に設定されることが望ましい。
【００３９】
図２に示すように、アームコントローラ３１において、制御部８ａから出力された１つ目の撮影角度θ'の情報が受け付けられ、アームコントローラ３１は、この撮影角度θ'の情報に基づいて、アーム部１３を検出面１５ａに垂直な方向に対して＋４°傾く撮影角度θ'となる制御信号を出力する。
【００４０】
アームコントローラ３１から出力された制御信号に応じてアーム部１３が＋４°回転する。続いて制御部８ａは、放射線源コントローラ３２および検出器コントローラ３３に対して放射線の照射と放射線画像の読出しを行うよう制御信号を出力する。この制御信号に応じて、放射線源１７から放射線が射出され、乳房Ｍを撮影角度θ'が＋４°の方向から撮影した放射線画像が放射線検出器１５によって検出され、検出器コントローラ３３によって放射線画像データが読み出され、放射線画像記憶部８ｂに記憶される。なお、撮影角度θ'が＋４°の放射線画像データは、立体視表示するための右目側の画像としてのみに用いられるものとなる。
【００４１】
同様に、図２に示すように、アームコントローラ３１において、制御部８ａから出力された２つ目の撮影角度θ'の情報が受け付けられ、アームコントローラ３１は、この撮影角度θ'の情報に基づいて、アーム部１３を検出面１５ａに垂直な方向に対して−４°傾く撮影角度θ'となる制御信号を出力する。
【００４２】
アームコントローラ３１から出力された制御信号に応じてアーム部１３が−４°回転する。続いて制御部８ａは、放射線源コントローラ３２および検出器コントローラ３３に対して放射線の照射と放射線画像の読出しを行うよう制御信号を出力する。この制御信号に応じて、放射線源１７から放射線が射出され、乳房Ｍを撮影角度θ'が−４°の方向から撮影した放射線画像が放射線検出器１５によって検出され、検出器コントローラ３３によって放射線画像データが読み出され、放射線画像記憶部８ｂに記憶される。なお、撮影角度θ'が−４°の放射線画像データは、立体視表示するための左目側の画像としてのみに用いられるものとなる。
【００４３】
続いて、図２に示すように、２次元観察用の画像を取得するために、アームコントローラ３１は、アーム部１３が撮影台１４に垂直な方向となるよう制御信号を出力する。すなわち、本実施形態においては、アーム部１３を検出面１５ａに垂直な方向とする撮影角度θ'が０°となる制御信号を出力する。
【００４４】
なお、放射線画像検出器１５の正面から撮影した画像が最も２次元観察に適しているため、２次元観察用の画像を撮影するための撮影角度は０°とすることが望ましいが、必ずしも撮影角度を０°とする必要はなく、他の角度としてもよい。
【００４５】
アームコントローラ３１から出力された制御信号に応じてアーム部１３が検出面１５ａに対して垂直な方向となる。続いて制御部８ａは、放射線源コントローラ３２および検出器コントローラ３３に対して放射線の照射と放射線画像の読出しを行うよう制御信号を出力する。この制御信号に応じて、放射線源１７から放射線が射出され、乳房Ｍを撮影角度０°の方向から撮影した放射線画像が放射線検出器１５によって検出され、検出器コントローラ３３によって放射線画像データが読み出され、放射線画像記憶部８ｂに記憶される。なお、撮影角度０°の放射線画像データは、２次元観察用の画像と立体視表示するための効き目側の画像とを兼ねるものとなる。
【００４６】
次に、ステレオ画像表示の際の動作について説明する。
【００４７】
まず、入力部７おいて、ユーザーの効き目の入力を受け付ける。なお、効き目の入力を受け付けるタイミングは、ステレオ画像を表示する直前や、撮影を行なう直前等、どのようなタイミングでもよい。また、予めユーザーの効き目の入力を受け付けてその内容を記憶しておき、ステレオ画像を表示する際に、予め記憶されているユーザーの効き目の情報を画像表示の際に反映させるようにしてもよい。
【００４８】
そして、撮影角度が０°の撮影において取得された放射線画像データをステレオ画像表示の際の効き目側の画像とし、撮影角度が＋４°の撮影において取得された放射線画像データもしくは撮影角度が−４°の撮影において取得された放射線画像データのうち、効き目と反対側に対応する放射線画像データを立体視画像表示の際の効き目と反対側の画像として、コンピュータ８の放射線画像記憶部８ｂに記憶された２つの放射線画像データが放射線画像記憶部８ｂから読み出された後、所定の信号処理が施されてモニタ９に出力され、モニタ９において、乳房Ｍのステレオ画像が表示される。
【００４９】
また、ユーザーから２次元画像表示が要求された際には、コンピュータ８の放射線画像記憶部８ｂに記憶された撮影角度が０°の放射線画像データが放射線画像記憶部８ｂから読み出された後、所定の信号処理が施されてモニタ９に出力され、モニタ９において、乳房Ｍの２次元画像が表示される。
【００５０】
このように、ステレオ画像表示の際に少なくとも一方の放射線画像データはＳ／Ｎが高い撮影角度が０°の撮影において取得された放射線画像データを用いるようにしたので、両方ともにＳ／Ｎが低い撮影角度が±４°の撮影において取得された放射線画像データを用いて立体視画像を表示する場合と比較して高画質の立体視画像を表示することができる。また、Ｓ／Ｎが高い撮影角度が０°の撮影において取得された放射線画像データを効き目側に表示しているので、ユーザーにとってより見やすい画像とすることができる。
【００５１】
上記実施の形態の説明では、立体視画像を表示する際に、ユーザーの効き目の入力を受け付けて、これに基づいて、撮影角度が０°の撮影において取得された放射線画像データおよび撮影角度が＋４°の撮影において取得された放射線画像データの組合せ、もしくは撮影角度が０°の撮影において取得された放射線画像データおよび撮影角度が−４°の撮影において取得された放射線画像データの組合せのいずれかを選択するようにしているが、本発明はこのような態様に限定されるものではなく、効き目とは関係なく、単に２つの組合せを選択可能なスイッチ等の入力手段を設けて、ユーザーに好みの組合せを選択させるようにしてもよい。
【００５２】
また、上記実施の形態においては、本発明の放射線画像撮影装置を乳房画像撮影装置としているが、被検体としては乳房に限らず、たとえば胸部や頭部等を撮影する放射線画像撮影装置を用いることも可能である。
【符号の説明】
【００５３】
１     乳房画像撮影表示システム
７     入力部
８     コンピュータ
８ａ   制御部
８ｂ   放射線画像記憶部
８ｃ   画像データ圧縮部
９     モニタ
１０   乳房画像撮影装置
１１   基台
１２   回転軸
１３   アーム部
１４   撮影台
１５   放射線画像検出器
１６   放射線照射部
１７   放射線源
１８   圧迫板
２１   グリッド
３１   アームコントローラ
３２   放射線源コントローラ
３３   検出器コントローラ
３４   圧迫板コントローラ
【図１】
2012066049.tif 000003
【図２】
2012066049.tif 000004
【図３】
2012066049.tif 000005